(57)【特許請求の範囲】
【請求項１】
排水が流入する洗い場側および浴槽側の排水口と、該洗い場側および浴槽側の排水口からの排水を排出する１つの排出口と、前記洗い場側および浴槽側の排水口に対応する洗い場側および浴槽側の排水流路と、前記排出口またはその近傍に設けられた排水合流部と、前記洗い場側および浴槽側の排水流路にそれぞれ設けられた封水部で構成される排水トラップにおいて、前記浴槽側の排水流路から分岐して前記洗い場側の排水流路の封水部上方で開口する通水路を設けたことを特徴とする排水トラップ。
【請求項２】
前記洗い場側の排水流路の封水部の下に、前記浴槽側の排水流路を配設させ、前記通水路は、前記浴槽側の排水流路から前記洗い場側の排水流路の底面を貫通して立ち上がる管体で構成したことを特徴とする請求項１に記載の排水トラップ。
【請求項３】
前記洗い場側の排水流路の封水部は、前記洗い場側排水口から垂設された垂下筒で構成され、該垂下筒内に前記管体が立ち上げられていることを特徴とする請求項２に記載の排水トラップ。
【請求項４】
前記通水路を形成する管体の、前記洗い場側の排水流路の封水部上方で開口する流出口を、該管体の側面に設けたことを特徴とする請求項２または請求項３に記載の排水トラップ。
【請求項５】
前記通水路を構成する管体の下部に、前記浴槽側の排水流路内に垂設されて、該浴槽側の排水流路内を流れる浴槽排水を分岐させるヒレ形状部を設けたことを特徴とする請求項２または請求項３または請求項４に記載の排水トラップ。
【発明の詳細な説明】
【技術分野】
【０００１】
本発明は、浴室の排水トラップに関するものである。
【背景技術】
【０００２】
従来、特許文献１に開示されているような排水トラップが存在し、この排水トラップは、洗い場排水が流入する洗い場側の排水口と、浴槽排水が流入する浴槽側の排水口と、洗い場側および浴槽側の排水口から流入される排水を排出する１つの排出口を備えて構成され、弁を設けて、この弁を介して浴槽側排水口から流入される浴槽排水の一部を、洗い場排水口下方の洗い場側トラップ内に流入させて逆流を防ぐように構成されている。
【特許文献１】特開２００５−２３２９３６号公報
【発明の開示】
【発明が解決しようとする課題】
【０００３】
上記特許文献１に開示されている排水トラップでは、弁機構を設けて浴槽排水を洗い場側トラップに流入させるものであるため、弁機構が汚れ等で作動不良を起こすと、浴槽排水を洗い場側トラップ内に良好に流入させることができず、浴槽排水をそのまま排出口へ排出してしまうため、洗い場トラップ内の封水が排出口へ引っ張られて、洗い場トラップの封水切れが生じる虞があるという問題点があった。
【課題を解決するための手段】
【０００４】
本発明は上記従来の問題点に鑑み案出したものであって、封水切れを良好に防ぐことのできる排水トラップを提供するものであり、その請求項１は、排水が流入する洗い場側および浴槽側の排水口と、該洗い場側および浴槽側の排水口からの排水を排出する１つの排出口と、前記洗い場側および浴槽側の排水口に対応する洗い場側および浴槽側の排水流路と、前記排出口またはその近傍に設けられた排水合流部と、前記洗い場側および浴槽側の排水流路にそれぞれ設けられた封水部で構成される排水トラップにおいて、前記浴槽側の排水流路から分岐して前記洗い場側の排水流路の封水部上方で開口する通水路を設けたことである。
【０００５】
また、請求項２は、前記洗い場側の排水流路の封水部の下に、前記浴槽側の排水流路を配設させ、前記通水路は、前記浴槽側の排水流路から前記洗い場側の排水流路の底面を貫通して立ち上がる管体で構成したことである。
【０００６】
また、請求項３は、前記洗い場側の排水流路の封水部は、前記洗い場側排水口から垂設された垂下筒で構成され、該垂下筒内に前記管体が立ち上げられていることである。
【０００７】
また、請求項４は、前記通水路を形成する管体の、前記洗い場側の排水流路の封水部上方で開口する流出口を、該管体の側面に設けたことである。
【０００８】
また、請求項５は、前記通水路を構成する管体の下部に、前記浴槽側の排水流路内に垂設されて、該浴槽側の排水流路内を流れる浴槽排水を分岐させるヒレ形状部を設けたことである。
【発明の効果】
【０００９】
本発明は、排水が流入する洗い場側および浴槽側の排水口と、該洗い場側および浴槽側の排水口からの排水を排出する１つの排出口と、前記洗い場側および浴槽側の排水口に対応する洗い場側および浴槽側の排水流路と、前記排出口またはその近傍に設けられた排水合流部と、前記洗い場側および浴槽側の排水流路にそれぞれ設けられた封水部で構成される排水トラップにおいて、前記浴槽側の排水流路から分岐して前記洗い場側の排水流路の封水部上方で開口する通水路を設けたことにより、浴槽排水が浴槽側排水流路を流れる際に、浴槽排水の一部が通水路を通って洗い場側排水流路の封水部上方から洗い場側排水流路内に良好に流れ込む。このため、浴槽排水が直接排出口へ流されると排出管内に負圧が生じ、洗い場排水流路の封水部内の封水を排出口側へ引っ張り出してしまうが、通水路から浴槽排水が洗い場側排水流路内に流れ込むために、洗い場排水流路の封水部の封水が減ることが防がれ、封水切れが良好に防がれるものとなる。
また、通水路の開口は、洗い場側の排水流路の封水部上方で開口しているため、洗い場側排水流路の封水部内の封水が通水路を通って排水されてしまうこともない。
また、浴槽排水は浴槽側排水流路を通るとともに、一部は分岐されて通水路を通り洗い場側排水流路を通って排出されるために、浴槽排水を２系統の流路を通して大量に排出させることができ、浴槽排水の排出時間を短くすることができるものとなる。
【００１０】
また、前記洗い場側の排水流路の封水部の下に、前記浴槽側の排水流路を配設させ、前記通水路は、前記浴槽側の排水流路から前記洗い場側の排水流路の底面を貫通して立ち上がる管体で構成したことにより、浴槽側排水流路と洗い場側排水流路を上下に重ね合わせて配置させることができ、トラップが最小寸法の高さで上下に重なった洗い場側排水流路の封水部の封水深および浴槽側排水流路の封水深を建築基準法で定める５０ｍｍの寸法に良好に確保することができるものとなる。
【００１１】
また、前記洗い場側の排水流路の封水部は、前記洗い場側排水口から垂設された垂下筒で構成され、該垂下筒内に前記管体が立ち上げられていることにより、通水路を通った浴槽排水が大気に開放されてから垂下筒内に流入することとなるため、浴槽排水が空気を含んだ状態で洗い場排水流路の封水部内に流入し、水のみが流入する場合よりも多くの体積を洗い場排水流路の封水部内に流入させることができ、空気を含んだ水の流入により排出口側に発生した負圧をより効率よく緩和させることができるものとなる。
また、排出口側に強い負圧が発生した場合に、瞬間的に洗い場排水流路の封水部の封水切れが発生してしまう場合があるが、その際に、大きな空気の塊が排出口側へ抜けることがなく、通水路を通った浴槽排水が大気に開放されて細かい空気が流入されているため、細かい空気が排出口側に抜け、空気の巻き込み音を低減させることができるものとなる。
【００１２】
また、前記通水路を形成する管体の、前記洗い場側の排水流路の封水部上方で開口する流出口を、該管体の側面に設けたことにより、流出口の開口を小さく設定することができ、従来のような弁機構を設置しなくても、排水の逆流が起こり難くなり、洗い場側の排水が逆流することを防ぐことができるものとなる。
また、浴槽排水が通水路を通り、流出口から勢い良く流出されるため、洗い場側排水流路の垂下筒内を浴槽排水で綺麗にすることができるものとなる。
【００１３】
また、前記通水路を構成する管体の下部に、前記浴槽側の排水流路内に垂設されて、該浴槽側の排水流路内を流れる浴槽排水を分岐させるヒレ形状部を設けたことにより、ヒレ形状部で浴槽排水を受け止めて、浴槽排水の一部を良好に通水路を通して洗い場側排水流路内に入れることができ、洗い場側排水流路を通って排出口側へ流出する排水で、下方の浴槽側排水流路から排出口へ流出される水を上方より抑え込んで、流出口側での乱流の発生を抑えることができ、排出口より下流の排出管内が満水になり難く、負圧を発生させにくくすることができるものとなる。
【実施例】
【００１４】
以下、本発明の実施例を図面に基づいて説明する。
図１は、排水トラップの設置状態の全体構成図であり、図２は、図１の要部拡大構成図である。また図３は、排水トラップを上方から見た斜視構成図である。
【００１５】
図において、洗い場１ａを形成する洗い場パン１には、下方へ凹み状に排水枡２が一体形成されており、排水枡２の図示左側には立ち上げた堤防３が形成されている。この堤防３の図示左側に浴槽パン４が連結されており、この浴槽パン４上には浴槽５が設置され、浴槽５と洗い場１ａ間の堤防３上にはエプロン６が立設されている。
前記排水枡２の上面には目皿７が覆設されており、排水枡２の底面にはフランジ８ａが下方側へ差し込まれて、このフランジ８ａに締め付けられた状態で排水トラップ９が排水枡２の下方に設置されている。
【００１６】
なお、浴槽５の浴槽排水口１０を設けた底孔５ａの下方側の浴槽パン４にもフランジ８ｂが設けられ、排水トラップ９は、このフランジ８ｂにも締め付けられた状態で、浴槽５の下方側に延びた状態で設置されている。
即ち、排水トラップ９は、洗い場１ａ側の排水が排水枡２を通って流入される洗い場側排水口１１と、浴槽５内の浴槽排水が底孔５ａを通って流入される浴槽側排水口１２を備え、図示右側には洗い場排水口１１および浴槽側排水口１２からの排水が排出される排出口１３が１個形成されており、この排出口１３には排出管２０が連結されている。
【００１７】
洗い場側排水口１１の下方には、フランジ８ａの内周側で下向きに垂設された筒状の垂下筒１６が設けられており、この垂下筒１６により洗い場側排水口１１の下方に封水部１４ａが形成され、この封水部１４ａから排出口１３側へ向かって洗い場排水流路１４が形成されている。
一方、浴槽側排水口１２の下方には、緩やかなＵ字状をなして下流端が排出口１３側へ上昇した浴槽側排水流路１５が形成され、この浴槽側排水流路１５は、緩やかなＵ字状に形成されているため、その底側で封水部１５ａが形成されている。
この浴槽側排水流路１５は洗い場側排水流路１４の底面１４ｂの下方に形成されており、洗い場側排水流路１４と浴槽側排水流路１５が上下に二重構造で一体形成されている。そのため、洗い場側排水流路１４の封水部１４ａの封水面Ｗ１より僅かに下方に、浴槽側排水流路１５の封水部１５ａの封水面Ｗ２が存在することとなり、建築基準法で定めている封水深５０ｍｍを良好に確保することができるように設定されている。
【００１８】
なお、洗い場側排水流路１４から排出される排水と、浴槽側排水流路１５から排出される排水の合流する排水合流部Ｐが排出口１３の近傍に設けられ、洗い場側排水流路１４から排水合流部Ｐに流れ込む排水が、浴槽側排水流路１５の右端を上昇して排出口１３へ流れ込む浴槽排水を上方側から押さえ付けることができるように設定されており、管体１７を通って浴槽排水が一部洗い場側排水流路１４に流れ込むため、排出管２０側で乱流が発生し難くなり、排水管２０内が満水になることが抑えられて、排出管２０内での負圧の発生を良好に回避できるように構成されている。
【００１９】
本例では、洗い場側排水流路１４の封水部１４ａを構成する垂下筒１６の中央部に、立ち上げて管体１７が設けられており、この管体１７は、図４に外観図で、図５に縦断面構成図で、また図６に平面構成図で示すような構造となっている。
即ち、管体１７は筒状をなし、内部に縦方向の通水路Ｒを形成する本体１７ｃの上端に、側面側が開口された流出口１７ａが形成されており、本体１７ｃの下端側には外方向へ突出して鍔部１７ｄが形成され、鍔部１７ｄの下部に、洗い場排水流路１４の底面１４ｂに係合される係合部１７ｅが凹み状に形成されており、この係合部１７ｅから下方側へ一体状に垂設されて平面視半円形状のヒレ形状部１７ｂが形成されている。
【００２０】
なお、本体１７ｃから一体状に上方へ延びて、平面視三又状の支柱部１８ａが立設され、支柱部１８ａの上面には上蓋１８が一体形成されており、この上蓋１８により管体１７の上面が覆われて、上蓋１７の下方に、本例では３方向に側面側へ開放された前記流出口１７ａが形成されている。
このような管体１７は、係合部１７ｅを洗い場側排水流路１４の底面１４ｂに係合させ、鍔部１７ｄを底面１４ｂに固定させた状態で立設されており、立設状態では管体１７の流出口１７ａが洗い場排水流路１４の封水部１４ａの封水面Ｗ１よりも上方に開口されるように設定されている。
【００２１】
また、この設置状態では、管体１７の下端のヒレ形状部１７ｂが浴槽側排水流路１５内に垂下して、浴槽側排水流路１５を流れる浴槽排水の一部を堰き止めて、良好に管体１７内の通水路Ｒに導くことができるように構成されている。
従って、浴槽側排水口１２から勢い良く流れ込む浴槽排水の一部は、ヒレ形状部１７ｂにガイドされて、通水路Ｒを通り流出口１７ａから空気を巻き込んで、洗い場側排水流路１４の封水部１４ａ内に流入されることとなり、このため洗い場側排水流路１４の封水部１４ａ内の封水が減ることが防がれ、浴槽側排水流路１５を通る浴槽排水が排出管２０側へ流れた時に、封水部１４ａの封水が引っ張られるが、通水路Ｒを通って流入される浴槽排水があるため、封水部１４ａの封水が保たれ、封水切れが良好に防がれるものとなる。
【００２２】
また、大量の浴槽排水は、浴槽側排水流路１５と洗い場側排水流路１４の両方の流路を通って排水されることとなるため、大量の浴槽排水を短時間で排出管２０側へ排出できるものとなる。なお、浴槽側排水流路１５の通水路Ｒの上流側には、上方へ湾曲して泡溜め部１９が形成されている。
【００２３】
また、流出口１７ａから噴出される浴槽排水は、一旦大気に開放されて、空気の細かい泡を巻き込んだ状態で封水部１４ａ内に流入されるため、瞬間的に排水管２０側で強い負圧が発生しても、細かい空気の泡が垂下筒１６の下端を超えて排出口１３側へ流されるため、瞬間的な破封が発生した時にも空気の巻き込み音は小さいものとなる。また、空気の泡が巻き込まれているために、この空気の泡により発生した負圧を効率良く緩和させることができるものとなる。
また、流出口１７ａは小さく開口され、しかも封水面Ｗ１よりも上方に配置されるため、弁機構を設けなくても洗い場側からの排水が通水路Ｒを通って浴槽５側へ逆流することが起こり難いものとなる。
【００２４】
本例では、浴槽５の底側に浴槽パン４が設けられているタイプの浴室について例示しているが、浴槽パン４が存在せず、浴槽５の底孔５ａの底側に浴槽側排水口１２が設置されるような構造においても、同様な排水トラップ９の構造を採用して、洗い場排水が浴槽側へ逆流することを防ぎ、また、排出管２０側で負圧が発生しても封水切れの生じない良好な排水トラップ９を構成することができるものである。
【図面の簡単な説明】
【００２５】
【図１】排水トラップを取り付けた浴室の全体配置構成図である。
【図２】図１の排水トラップの周辺の拡大構成図である。
【図３】排水トラップを上面側から見た斜視構成図である。
【図４】通水路を構成する管体の外観側面構成図である。
【図５】図４の縦断面構成図である。
【図６】管体の平面構成図である。
【符号の説明】
【００２６】
１  洗い場パン
１ａ  洗い場
２  排水枡
３  堤防
４  浴槽パン
５  浴槽
５ａ  底孔
６  エプロン
７  目皿
８ａ，８ｂ  フランジ
９  排水トラップ
１０  浴槽排水口
１１  洗い場側排水口
１２  浴槽側排水口
１３  排出口
１４  洗い場側排水流路
１４ａ  封水部
１５  浴槽側排水流路
１５ａ  封水部
１６  垂下筒
１７  管体
１７ａ  流出口
１７ｂ  ヒレ形状部
１７ｃ  本体
１７ｅ  係合部
１８  上蓋
１９  泡溜め部
２０  排出管
Ｐ  排水合流部
Ｒ  通水路
【図１】
0004757037.tif 000002
【図２】
0004757037.tif 000003
【図３】
0004757037.tif 000004
【図４】
0004757037.tif 000005
【図５】
0004757037.tif 000006
【図６】
0004757037.tif 000007